(57)【要約】【課題】ハードディスクドライブ用の、潤滑油制御ダムを備えたＡＢＳを提供する。【解決手段】ハードディスクドライブにおいて潤滑油を制御するための方法および装置である。ハードディスクドライブは、ヘッドスライダとの偶発的な接触からディスクを保護するために、ディスク上に潤滑油を含むことが多い。本発明の実施形態には、ヘッドスライダの空気ベアリング面（ＡＢＳ）上の潤滑油制御表面またはダムが含まれる。ダムは、ＡＢＳ上の空気流を方向転換し、かつ／またはディスクからヘッドスライダへ移動する過度の潤滑油を方向転換する。過度の潤滑油を方向転換することによって、潤滑油制御ダムは、潤滑油を除去または貯蔵し、潤滑油がＡＢＳまたはヘッドの読み出し／書き込み要素を妨害する結果として生じる可能性がある障害を回避する。【選択図】図１
2011170954.tif 000002
【特許請求の範囲】
【請求項１】
ハードディスクドライブのヘッドスライダ上の潤滑油移動を制御する方法であって、前記ヘッドスライダが、前縁、２つの側縁、後縁、および空気ベアリング面（ＡＢＳ）を有し、前記前縁、２つの側縁、および前記後縁が、前記ＡＢＳの周囲を画定し、
前記方法は、
前記ＡＢＳ上に後パッドを設けることであって、前記後パッドが前記後縁に隣接することと、
前記ＡＢＳ上に前パッドを設けることであって、前記前パッドが前記前縁に隣接することと、
横方向に延びるチャネルを前記後パッドと前記前パッドとの間に配置して設けることと、
横方向に延びるダムを前記横方向に延びるチャネルと前記前パッドとの間に配置して設けることであって、前記横方向に延びるダムが、上面および１つまたは複数の側壁によって画定され、前記横方向に延びるダムが、前記ＡＢＳ上の空気流を方向転換すること、潤滑油流を方向転換すること、および潤滑油を貯蔵することの少なくとも１つを実行するような大きさおよび配置にされ、前記横方向に延びるチャネルのフロアが、基準レベルを画定し、前記前パッドおよび前記後パッドが、前記基準レベルより上の第１の高さにあることと、
を含む方法。
【請求項２】
前記横方向に延びるダムが、前記ヘッドスライダの前記後縁とほぼ平行に延びる、請求項１に記載の方法。
【請求項３】
前記横方向に延びるダムの前記１つまたは複数の側壁が、
前記横方向に延びるチャネルに隣接する第１の細長い側部と、
前記前パッドに面する第２の細長い側部と、
前記ヘッドスライダの前記側縁に隣接する２つの側部と、
を含む、請求項１に記載の方法。
【請求項４】
前記横方向に延びるダムが、前記第１および第２の細長い側部間の、２μｍ〜１００μｍの幅を有する、請求項３に記載の方法。
【請求項５】
前記第１の細長い側部が、前記横方向に延びるチャネルの前面から、０μｍ〜２００μｍ離れて配置される、請求項３に記載の方法。
【請求項６】
前記第１の細長い側部が、前記横方向に延びるチャネルの前面と一列に整列される、請求項３に記載の方法。
【請求項７】
前記２つの側部が、前記側縁から０μｍ〜６５０μｍ離れている、請求項３に記載の方法。
【請求項８】
前記横方向に延びるダムの前記上面が、前記基準レベルの１０μｍ〜２０μｍ上にある、請求項１に記載の方法。
【請求項９】
ハードディスクドライブのヘッドスライダであって、
前縁と、
２つの側縁と、
後縁と、
空気ベアリング面（ＡＢＳ）であって、前記前縁、２つの側縁、および前記後縁が、前記ＡＢＳの周囲を画定し、
前記ＡＢＳが、
前記後縁に隣接する後パッドと、
前記前縁に隣接する前パッドと、
前記後パッドと前記前パッドとの間に配置された、横方向に延びるチャネルと、
前記横方向に延びるチャネルと前パッドとの間に配置された、横方向に延びるダムであって、前記横方向に延びるダムが、上面および１つまたは複数の側壁によって画定され、前記横方向に延びるダムが、前記ＡＢＳ上の空気流を方向転換すること、潤滑油流を方向転換すること、および潤滑油を貯蔵することの少なくとも１つを実行するような大きさおよび配置にされ、前記横方向に延びるチャネルのフロアが、基準レベルにあり、前記前パッドおよび前記後パッドが、前記基準レベルより上の第１の高さにある、横方向に延びるダムと、
を含むヘッドスライダ。
【請求項１０】
前記横方向に延びるダムが、前記ヘッドスライダの前記後縁とほぼ平行に延びる、請求項９に記載のヘッドスライダ。
【請求項１１】
前記横方向に延びるダムの前記１つまたは複数の側壁が、
前記横方向に延びるチャネルに隣接する第１の細長い側部と、
前記前パッドに面する第２の細長い側部と、
前記ヘッドスライダの前記側縁に隣接する２つの側部と、
を含む、請求項９に記載のヘッドスライダ。
【請求項１２】
前記横方向に延びるダムが、前記第１および第２の細長い側部間の、２μｍ〜１００μｍの幅を有する、請求項１１に記載のヘッドスライダ。
【請求項１３】
前記第１の細長い側部が、前記横方向に延びるチャネルの前面から、０μｍ〜２００μｍ離れて配置される、請求項１１に記載のヘッドスライダ。
【請求項１４】
前記第１の細長い側部が、前記横方向に延びるチャネルの前面と一列に整列される、請求項１１に記載のヘッドスライダ。
【請求項１５】
前記２つの側部が、前記ヘッドスライダの前記側縁から０μｍ〜６５０μｍ離れている、請求項１１に記載のヘッドスライダ。
【請求項１６】
前記少なくとも１つの隆起表面の前記上面が、前記基準レベルの１０μｍ〜２０μｍ上にある、請求項９に記載のヘッドスライダ。
【請求項１７】
ディスクであって、その上に潤滑油を含むディスクと、
前縁と、２つの側縁と、後縁と、空気ベアリング面（ＡＢＳ）であって、前記前縁、２つの側縁、および前記後縁が前記ＡＢＳの周囲を画定し、前記ＡＢＳが、前記後縁に隣接する後パッドと、前記前縁に隣接する前パッドと、前記後パッドと前記前パッドとの間に配置された、横方向に延びるチャネルと、前記横方向に延びるチャネルと前記前パッドとの間に配置された、横方向に延びるダムであって、前記横方向に延びるダムが、上面および１つまたは複数の側壁によって画定され、前記横方向に延びるダムが、前記ＡＢＳ上の空気流を方向転換すること、潤滑油流を方向転換すること、および潤滑油を貯蔵することの少なくとも１つを実行するような大きさおよび配置にされ、前記横方向に延びるチャネルのフロアが、基準レベルにあり、前記前パッドおよび前記後パッドが、前記基準レベルより上の第１の高さにある横方向に延びるダムと、を含む空気ベアリング面（ＡＢＳ）と、を含むヘッドスライダと、
を含むハードディスクドライブ。
【請求項１８】
前記横方向に延びるダムの前記上面が、前記基準レベルの１０μｍ〜２０μｍ上にある、請求項１７に記載のハードディスクドライブ。
【発明の詳細な説明】
【技術分野】
【０００１】
本発明の実施形態は、一般にハードディスクドライブの分野に関する。より具体的には、本発明の実施形態は、ハードディスクドライブのヘッドスライダにおける潤滑油移動を制御する方法および装置に関する。
【背景技術】
【０００２】
ハードディスクドライブは、多くのコンピュータシステム動作において用いられている。実際に、多くのコンピューティングシステムが、ある種のハードディスクドライブと共に動作し、最も基本的なコンピューティング情報、例えばブーツ動作、オペレーティングシステム、アプリケーション等を記憶する。一般に、ハードディスクドライブは、取り外し可能であっても可能でなくてもよいが、それなしには、いくつかのコンピューティングシステムが動作できない装置である。
【０００３】
１つの基本的なハードディスクドライブモデルが、約４０年前に開発されたが、いくつかの点でレコードプレーヤタイプの装置に似ている。例えば、ハードドライブモデルには、標準回転速度で回る記憶ディスクまたはハードディスクが含まれる。アクチュエータアームまたはスライダを利用して、ディスク全体に達する。アームは、ディスク上の位置からまたは位置へ情報を読み出し／書き込むために、磁気読み出し／書き込みトランスデューサまたはヘッドを有する。完全なアセンブリ、例えばアームおよびヘッドは、ヘッドジンバルアセンブリ（ＨＧＡ）と呼ばれる。ディスク、ＨＧＡ、スピンドル、ハウジング、およびハウジング内の他の部分からなるアセンブリは、ヘッドディスクアセンブリまたはＨＤＡと呼ばれる。
【０００４】
動作において、ハードディスクは、中央ドライブハブを有するスピンドルモータアセンブリを介して所定の速度で回転する。さらに、ディスクの両端にわたって周知の間隔で、チャネルまたはトラックが離間配置されている。最新の実施形態は、同心円トラックに信号領域を配置するが、しかし螺旋状または不規則な閉鎖もしくは開放経路などの他の設計が、可能であり有用である。特定の部分またはトラックの読み出し要求が受信された場合には、ハードディスクは、アームを介して、特定のトラック位置上にヘッドを位置合わせし、ヘッドは、ディスクから情報を読み出す。特定の部分またはトラックへの書き込み要求が受信された場合には、同じ方法で、ハードディスクは、アームを介して、特定のトラック位置上にヘッドを位置合わせし、ヘッドは、ディスクに情報を書き込む。ディスクおよびヘッドの洗練によって、ハードディスクドライブのサイズにおける低減がもたらされた。例えば、オリジナルのハードディスクドライブにおけるディスク径は、２４インチだった。最近のハードディスクドライブは、はるかに小さく、２．５インチ未満のディスク径を含む。
【０００５】
絶えず増加するデータ記憶の必要性が、いくつかのディスクドライブメーカーに、ドライブに記憶されるデータ量を着実に増加させてきた。機械的な考慮、放射される可聴ノイズの制限、所要電力および他の要因によって、単一ドライブに経済的に組み合わせることができるディスクの数が制限される。したがって、ディスクドライブ技術は、一般に、ヘッドを媒体表面により近く配置することによって、各ディスク表面に記憶されるデータ量を増加させることに集中してきた。しかしながら、ヘッドコンポーネントと動いている媒体表面との間の意図しない接触を回避するように、注意しなければならない。
【０００６】
典型的には、ヘッドは、軽くばねで留められている。ばね張力は、媒体平面に対して垂直であり、媒体表面に対して反対方向を向いている。空気ベアリングが、次のようにヘッドおよび媒体表面を離隔する。すなわち、媒体がヘッドに対して移動するにつれて、空気が、媒体表面に隣接するヘッドの表面における特に設計されたチャネルを通し、ディスク表面によって引き込まれる。ヘッドの表面およびそこに含まれるチャネルは、集合的に空気ベアリング面（ＡＢＳ）と呼ばれるが、次のように設計される。すなわち、ヘッドを媒体表面との直接的接触から遠ざけ、事実上、媒体表面上にヘッドを浮上させる空気圧の増加した領域を、ＡＢＳと媒体表面との間に生成するように設計される。ヘッドＡＢＳおよび媒体表面の離隔は、一般に浮上高さと呼ばれるが、複雑な現象であり、主に、空気密度、ばね予負荷、ヘッドと媒体表面との間の相対速度、および媒体表面に隣接するヘッド空気ベアリング面に存在するチャネルパターンの関数である。特定のヘッド−ディスク組み合わせが、正確には所望の離隔距離で浮上しないことが、ヘッド−ディスクインターフェース設計の当業者には周知である。機械的許容誤差における差異、ばね張力および他の要因は、一般的には平均浮上高さを中心に、ほぼ正規の統計的な浮上高さ母集団分布に帰着する。さらに、ヘッドおよびその取り付けジンバルは、媒体表面に対して望ましい姿勢（例えば、静的および動的ピッチおよび回転）からヘッドを逸脱させる可能性がある機械的許容誤差、空気力学的な力、慣性力の影響を受ける。これは、空気ベアリング面のいくつかのエリアを、媒体表面のより近くに、またはそこからさらに遠くへ移動させる可能性がある。
本発明に関連する先行技術として、例えば特許文献１，２が挙げられる。
【先行技術文献】
【特許文献】
【０００７】
【特許文献１】特開２００４−１６４７７１号公報
【特許文献２】米国特許第７２３０７９７号公報
【発明の概要】
【発明が解決しようとする課題】
【０００８】
したがって、必要なものは、潤滑油汚染の存在下であっても、極端に低い浮上高さで確実に機能し続ける空気ベアリング面（ＡＢＳ）設計である。
【課題を解決するための手段】
【０００９】
一実施形態において、本発明は、ハードディスクドライブのヘッドスライダ上の潤滑油移動を制御する方法であって、このヘッドスライダが、前縁、２つの側縁、後縁、および空気ベアリング面（ＡＢＳ）を有し、前縁、２つの側縁、および後縁が、ＡＢＳの周囲を画定する方法である。この方法には、ＡＢＳ上に後パッドを設けることであって、後パッドが、後縁に隣接することと、ＡＢＳ上に前パッドを設けることであって、前パッドが前縁に隣接することと、横方向に延びるチャネルを、後パッドと前パッドとの間に配置して設けることと、横方向に延びるダムを、横方向に延びるチャネルと前パッドとの間に配置して設けることであって、横方向に延びるダムが、上面および１つまたは複数の側壁によって画定され、横方向に延びるダムが、ＡＢＳ上の空気流を方向転換すること、潤滑油流を方向転換すること、および潤滑油を貯蔵することの少なくとも１つを実行するような大きさおよび配置にされ、横方向に延びるチャネルのフロアが、基準レベルを画定し、前パッドおよび後パッドが、基準レベルより上の第１の高さにあることと、が含まれる。
【００１０】
別の実施形態において、本発明は、ハードディスクドライブのヘッドスライダである。ヘッドスライダには、前縁、２つの側縁、後縁、および空気ベアリング面（ＡＢＳ）が含まれ、前縁、２つの側縁、および後縁が、ＡＢＳの周囲を画定する。ＡＢＳは、後縁に隣接する後パッドと、前縁に隣接する前パッドと、後パッドと前パッドとの間に配置された、横方向に延びるチャネルと、横方向に延びるチャネルと前パッドとの間に配置された、横方向に延びるダムであって、上面および１つまたは複数の側壁によって画定される、横方向に延びるダムと、を有し、横方向に延びるダムは、ＡＢＳ上の空気流を方向転換すること、潤滑油流を方向転換すること、および潤滑油を貯蔵することの少なくとも１つを実行するような大きさおよび配置にされ、横方向に延びるチャネルのフロアが、基準レベルにあり、前パッドおよび後パッドは、基準レベルより上の第１の高さにある。
【００１１】
さらなる実施形態において、本発明は、ディスク、すなわちその上に潤滑油を含むディスクと、ヘッドスライダと、を含むハードディスクドライブである。ヘッドスライダには、前縁と、２つの側縁と、後縁と、空気ベアリング面（ＡＢＳ）であって、前縁、２つの側縁および後縁がＡＢＳの周囲を画定する空気ベアリング面（ＡＢＳ）と、が含まれる。ＡＢＳは、後縁に隣接する後パッドと、前縁に隣接する前パッドと、後パッドと前パッドとの間に配置された、横方向に延びるチャネルと、横方向に延びるチャネルと前パッドとの間に配置された、横方向に延びるダムであって、上面および１つまたは複数の側壁によって画定される、横方向に延びるダムと、を有し、横方向に延びるダムは、ＡＢＳ上の空気流を方向転換すること、潤滑油流を方向転換すること、および潤滑油を貯蔵することの少なくとも１つを実行するような大きさおよび配置にされ、横方向に延びるチャネルのフロアが、基準レベルにあり、前パッドおよび後パッドは、基準レベルより上の第１の高さにある。
【００１２】
本発明の上記の特徴を詳細に理解することができる方法、上記で簡潔に要約した本発明の詳細で具体的な説明を、実施形態を参照することによって理解しうるために、実施形態のいくつかが添付の図面に示されている。しかしながら、添付の図面は、本発明の単に典型的な実施形態だけを示し、したがって本発明の範囲を限定するように見なすべきではないことに留意されたい。なぜなら、本発明は、他の等しく効果的な実施形態も可能にするからである。
【図面の簡単な説明】
【００１３】
【図１】本発明の実施形態に従って、磁気ディスクと、アクチュエータに実装されたヘッドスライダと、を有する例示的なディスクドライブを示す。
【図２】本発明の実施形態による、図１のディスクドライブのヘッドスライダおよび磁気ディスクの側面図である。
【図３】本発明の実施形態による、ヘッドスライダの空気ベアリング面（ＡＢＳ）を示す、図１および２のヘッドスライダにおける底部の平面図である。
【図４】本発明の実施形態による、隆起表面を含むヘッドスライダ空気ベアリング面（ＡＢＳ）を示す、図１および２のヘッドスライダにおける底部の平面図である。
【図５】線５−５を通して得られた図４のヘッドスライダの一部の拡大断面図である。
【発明を実施するための形態】
【００１４】
以下において、本発明の実施形態に言及する。しかしながら、本発明が、説明される特定の実施形態に限定されないことを理解されたい。そうではなく、以下の特徴および要素の任意の組み合わせは、異なる実施形態に関連していてもしていなくても、本発明を実現および実施するものと考えられている。さらに、本発明の実施形態は、他の可能な解決法および／または先行技術に勝る利点を達成可能であるけれども、特定の利点が、所与の実施形態によって達成されるかどうかは、本発明の限定とはならない。したがって、以下の態様、特徴、実施形態および利点は、単に実例であり、特許請求の範囲に明示的に挙げられている場合を除いて、添付の特許請求の範囲の要素または限定とは見なされない。同様に、「本発明」への言及は、本明細書に開示されるいずれかの発明的主題の一般化として解釈すべきではなく、かつ特許請求の範囲に明示的に挙げられている場合を除いて、添付の特許請求の範囲の要素または限定と見なすべきではない。
【００１５】
上記のように、浮上高さは、多くの理由で変動する可能性がある。浮上高さを低下させることは、取り出される信号の信号対雑音比を有利に向上させる一方で、ディスクドライブ信頼性の低下に望ましくなくつながり得る。かかる信頼性低下は、粒子または潤滑油汚染の存在下で生じる可能性がある。粒子汚染には、ドライブコンポーネントからの摩耗粒子および／または周辺環境からの空気汚染を含むことができる。潤滑油汚染は、ディスク表面上の保護潤滑油がヘッドスライダ表面ヘ移動することから生じる可能性がある。かかる潤滑油汚染物質は、空気ベアリング面に蓄積する可能性がある。潤滑油汚染物質の蓄積は、空気流を乱し、かくして、ヘッドを所望より高くもしくは低く、または媒体表面に対して所望とは異なる向きに浮上させる可能性がある。潤滑油蓄積はまた、狭い浮上高さの空隙を埋める可能性がある。これは、ヘッドと媒体との間の付着物および接触につながり得る。結果として生じる接触は、ヘッドスライダヘのより多くの潤滑油の移動を引き起こす可能性があり、これは、さらに汚染を悪化させる可能性がある。これは、この方法で急速に発生し得るドライブ障害につながる可能性がある。
【００１６】
ヘッドスライダのＡＢＳ上に拾い上げられた潤滑油は、ヘッドスライダがディスク表面の上方を「浮上」している間に存在する空気せん断応力ゆえに、ヘッドスライダの後縁の方ヘ移動する。さらに、後縁に堆積された潤滑油は、ＡＢＳへ逆に移動する可能性がある。往々にして、読み出し／書き込みヘッドは、後縁に近いパッド上にある。したがって、潤滑油蓄積は、読み出し／書き込みヘッドトランスデューサ要素近くに集中する可能性がある。トランスデューサ要素の多くのコンポーネントは、著しい強磁性を有する。したがって、ドライブ読み出し要素の磁気感度は歪められ低減される場合があり、これは、信号対雑音比の低下およびドライブ障害につながり得る。光ドライブでは、潤滑油は、光路を歪め、かつ／または塞ぐ場合があり、これは、貧弱な性能に帰着する可能性がある。
【００１７】
本発明の実施形態は、ハードディスクドライブにおけるヘッドスライダ用の潤滑油制御方法および装置を提供する。一実施形態は、ＡＢＳにおいて空気流を方向転換し、潤滑油流を方向転換し、かつ過度の潤滑油を貯蔵するかまたは閉じ込めるための１つまたは複数の隆起表面を有する空気ベアリング面（ＡＢＳ）を提供する。したがって、本発明の実施形態によって、ＡＢＳにおける潤滑油蓄積なしに（または比較的少なく）、ディスク表面に対してＡＢＳを効果的に配置することが可能になる。付着物、ヘッド−ディスク接触、トランスデューサ信号対雑音比の低下、および潤滑油蓄積の他の有害な結果は、本発明の実施形態による１つまたは複数の凹部で防止される。
【００１８】
図１は、ハウジング１２を含む磁気ハードディスクドライブ１０の一実施形態を示すが、このハウジング１２内では、磁気ディスク１４がクランプによってスピンドルモータ（ＳＰＭ）に固定されている。ＳＰＭは、ある一定の速度で回転するように磁気ディスク１４を駆動する。ヘッドスライダ１８は、磁気ディスク１４の記録領域にアクセスする。ヘッドスライダ１８は、ヘッド要素区分と、ヘッド要素区分が固定されるスライダと、を有する。ヘッドスライダ１８には、磁気ディスク１４上方におけるヘッドの浮上高さを調整する浮上高さ制御部が設けられている。アクチュエータ１６は、ヘッドスライダ１８を担持する。図１において、アクチュエータ１６は、ピボットシャフトによって回動可能に保持され、駆動機構としてのボイスコイルモータ（ＶＣＭ）１７の駆動力によってピボットシャフトの回りを回動される。アクチュエータ１６は、磁気ディスク１４の半径方向に回動され、ヘッドスライダ１８を所望の位置に移動させる。回転している磁気ディスク１４と、磁気ディスク１４に面するヘッドスライダの空気ベアリング面（ＡＢＳ）との間の空気の粘性ゆえに、圧力が、ヘッドスライダ１８に作用する。ヘッドスライダ１８は、空気と、磁気ディスク１４の方へアクチュエータ１６によって印加される力との間のバランスを取るこの圧力の結果として、磁気ディスク１４上方に低く浮上する。いくつかの実施形態では、ヘッドスライダ１８は、ディスク１４上方を「浮上する」スライダヘッドとは対照的に、実際にディスク１４に接触する隆起領域または部分（パッドなど）を有してもよい。いくつかの実施形態では、ディスクドライブ１０にはランプ１９を含んでもよく、ヘッドスライダ１８は、ディスクドライブ１０が動作中でなく、ディスク１４が回転していない場合には、このランプ１９に置かれる。
【００１９】
図２は、図１のヘッドスライダ１８および磁気ディスク１４の側面図である。磁気ディスク１４は、矢印Ａの方向に移動しており、同じ方向に空気流を引き起こす。この空気流は、ヘッドスライダ１８の空気ベアリング面（ＡＢＳ）２１上を流れ、上記のリフト圧力を生成する。一実施形態において、ヘッドスライダ１８には、前パッド２２および後パッド２４などの隆起領域、ならびに横断または横方向チャネル２３などの凹部領域が含まれる。この実施形態において凹部領域、すなわち横方向チャネル２３は、ディスク１４から最も遠いＡＢＳの表面であり、下記のようにＡＢＳの基準レベルを画定するフロアを含む。後パッド２４は、一実施形態においてヘッドスライダ１８の後縁２６に隣接し、かつ後縁２６に比べて中央に位置しているが、さらに、磁気ディスク１４にデータを書き込み、かつそこからデータを読み出す読み出し／書き込みヘッドを含んでもよい。前パッド２２は、一実施形態において、ヘッドスライダ１８の前縁（図３の３９）に隣接し、かつ前縁に比べて中央に位置している。ディスク１４は、その上面上に潤滑油２８を有して、ディスクドライブのヘッドスライダ１８および／または他のコンポーネントとの接触からディスク１４を保護する。動作中に、潤滑油２８は、ヘッドスライダ１８上に移動する可能性がある。２８'のラベルが付けられた潤滑油など、ヘッドスライダ１８の前部における潤滑油は、それが、ヘッドスライダ１８のＡＢＳ上を流れる空気によって影響されると、ヘッドスライダ１８の後縁２６の方へ移動する。潤滑油は、潤滑油２８''によって示すように、横方向チャネル２３を含むＡＢＳの様々な領域に集まる。ヘッドスライダ１８の横方向チャネル２３における潤滑油の２８''は、後パッド２４上に流れて、読み出し／書き込みヘッドの読み出しおよび書き込み要素または他の機能部分を妨げる可能性がある。
【００２０】
図３は、ヘッドスライダの空気ベアリング面（ＡＢＳ）から、図１および２のヘッドスライダ１８の底部の一実施形態を示す。ヘッドスライダ１８には、前縁３９、後縁２６、ならびに側縁３５および３７が含まれ、これらが、ＡＢＳの周囲を画定する。ＡＢＳには、基準レベルにおけるフロアを有する第１の凹部表面２３が含まれ、これらの第１の凹部表面２３は、いくつかの実施形態において、（図２で見られる）ディスク１４から最も遠い距離における表面である。第２の表面３２は、凹部表面２３（基準レベル）より上の第１の高さにあり、ディスク１４により接近している。前パッド２２および後パッド２４などの第３の隆起表面は、第１の高さより上の第２の高さにある。いくつかの実施形態において、表面３４は、第１および第２の高さの間の高さに含まれる。図３および４に示すような実施形態において、第１の凹部表面２３は、ヘッドスライダ１８の一側３５から、ヘッドスライダ１８の他側３７へ横方向に延びるチャネルを形成する。横方向に延びるチャネル２３には前面３８が含まれ、前面３８においてチャネル２３は第２の表面３２と出会う。
【００２１】
前パッド２２および後パッド２４など、最も高い第２の高さ（ディスクに最も接近している）における隆起表面は、空気支持面の役割をする。いくつかの実施形態において、側部パッド３６など、第２の高さにおける他の空気支持面が含まれる。また、図３および４に示す実施形態において、アームが、後パッド２４および側部パッド３６を接続する。両方のアームには、縦方向に延びる部分３３および横方向に延びる部分３１が含まれる。図３および４に示すような表面の配置が、ヘッドスライダのＡＢＳに存在可能な隆起および凹部表面の単に１つの特定の配置であること、および本発明の観点から見て限定的と考えるべきでなく、単に例として本明細書に提示されているだけであることを理解されたい。空気がＡＢＳ面上を流れるとき、ディスク１４から拾い上げられた潤滑油の収集点としての役割をするある領域がある（図２を参照）。多すぎる潤滑油がこれらの領域で収集された場合には、潤滑油は、本発明の一実施形態では後パッド２４に実装される読み出し／書き込みヘッド（図示せず）の読み出し／書き込み要素または他の機能部分に影響する可能性がある。
【００２２】
図４は、ヘッドスライダの空気ベアリング面（ＡＢＳ）から、図１および２のヘッドスライダ１８'の底部の別の実施形態を示す。図３のヘッドスライダ実施形態に関連して説明したように、図４におけるＡＢＳには、基準レベルにおける第１の凹部表面２３が含まれるが、これらの第１の凹部表面２３は、（図２に見られるように）ディスク１４から最も遠い距離における表面である。第２の表面３２は、凹部表面２３（基準レベル）より上の第１の高さにあり、ディスク１４により接近している。前パッド２２および後パッド２４などの第３の隆起表面は、第１の高さより上の第２の高さにある。いくつかの実施形態において、表面３４は、第１および第２の高さの間の高さに含まれる。図３および４に示すような実施形態において、第１の凹部表面２３は、ヘッドスライダ１８の一側３５から、ヘッドスライダ１８の他側３７への横方向に延びるチャネルを形成する。前パッド２２および後パッド２４など、最も高い第２の高さ（ディスクに最も接近している）の隆起表面は、空気支持面の役割をする。いくつかの実施形態では、側部パッド３６など、第２の高さにおける他の空気支持面が含まれる。また、図３および４に示す実施形態において、アームが、後パッド２４および側部パッド３６を接続する。両方のアームには、縦方向に延びる部分３３および横方向に延びる部分３１が含まれる。
【００２３】
図４に示すように、ヘッドスライダ１８'には、ＡＢＳにおいて空気流を方向転換し、潤滑油流を方向転換し、かつ過度の潤滑油を貯蔵するかまたは閉じ込めるような大きさまたは配置にされた、横方向に延びるダム４０の形態をした隆起表面の一実施形態が含まれる。ディスク１４から拾い上げられた潤滑油は、ＡＢＳの様々な領域に集まる可能性があり、かつ前述のように、パッド２４へと後に移動して、潤滑油が、読み出し／書き込みヘッドの読み出しおよび書き込み要素または他の機能部分に影響する可能性がある。横方向に延びるダム４０を設けることによって、横方向に延びるダム４０が空気流（矢印Ｂとして示される）をヘッドスライダ１８'の側部３７に向けるという点において、この有害な結果を緩和し得る。矢印Ｂはまた、横方向に延びるダム４０の前の潤滑油流を示す。横方向に延びるダム４０は、潤滑油をＡＢＳ面から離れるように導き、潤滑油がこの領域を通って前後に流れるのを防止する。
【００２４】
図４の実施形態において、横方向に延びるダム４０は、横方向に延びるチャネル２３に隣接する第１の細長い側部４４、前パッドに面する第２の細長い側部４２、および側縁３５、３７にそれぞれ隣接する２つの側部４６、４８を有する細長い隆起領域である。側縁３５は、ディスク１４の外縁に面し、一方で側縁３７は、ディスク１４の中心に面する（図１を参照）。ダム４０は、幅ｗを有し、かつヘッドスライダ１８'の側縁３５および３７の距離ｄ内で横方向に延びる。横方向に延びるダム４０の幅は、約２μｍ〜約１００μｍである。幅は、横方向に延びるダム４０の長さに沿って変化してもよく、または代替として、横方向に延びるダム４０の長さに沿って一定であってもよい。ヘッドスライダ１８'の側縁３５および３７から、横方向に延びるダム４０までの距離ｄは、（側縁と一列に整列した）０μｍ〜約６５０μｍである。一方の側縁と、横方向に延びるダム４０と、他方の側縁との間の距離は、同じであってもよく、または代替として、横方向に延びるダム４０は、他方より一方に接近して延びてもよい。
【００２５】
実例では、図４は、ダム４０を曲線として示す。しかしながら、いくつかの実施形態において、ダム４０は、直線であってもよい。さらに、いくつかの実施形態において、ダム４０は、前縁３９および後縁２６と平行であってもよく、一方で他の実施形態において、ダム４０は、前縁３９および後縁２６に対して傾斜される。図４の実施形態において、ダムの第１の細長い側部４４は、横方向に延びるチャネル２３の前面３８と一列に整列される。他の実施形態において、第１の細長い側部４４は、横方向に延びるチャネル２３の前面３８より前縁３９へより接近して、図５に関して以下で説明するように、第２の高さにおける第２の表面３２のストラップが、第１の細長い側部４４と、横方向に延びるチャネル２３の前面３８との間に延びるようにしてもよい。
【００２６】
図５は、図４の線５−５を通る断面図であり、ＡＢＳの様々な表面の相対的高さ（正確な縮尺ではない）を示す。高さは、基準レベル（図２に見られるように、ディスク１４から最も遠い距離）にある第１の凹部表面２３（横方向に延びるチャネル）を基準にして記載されている。第２の表面３２は、ディスク１４により近い第１の高さにあり、距離ｄ１だけ基準レベルより上にある。一実施形態において、ｄ１は、約１０μｍ〜約２０μｍである。いくつかの実施形態において、前パッド２２および後パッド２４などの第３の隆起表面は、基準レベルより上の第２の高さｄ４にある。第２の高さは、第１の高さより上にある。一実施形態において、ｄ４は、約１０μｍ〜約２０μｍである。いくつかの実施形態において、表面３４が、第１および第２の高さの間の高さｄ２において含まれる。一実施形態において、ｄ２は、約１０μｍ〜約２０μｍである。図３および４に示すような実施形態において、第１の凹部表面２３は、ヘッドスライダ１８の一側３５からヘッドスライダ１８の他側３７への横方向に延びるチャネルを形成する。前パッド２２および後パッド２４など、最も高い第２の高さ（ディスクに最も接近している）における隆起表面は、空気支持面の役割をする。いくつかの実施形態において、側部パッド３６など、第２の高さにおける他の空気支持面が含まれる。また、図３および４に示す実施形態において、アームが、後パッド２４および側部パッド３６を接続する。両方のアームには、縦方向に延びる部分３３および横方向に延びる部分３１が含まれる。
【００２７】
また、図５には、ダム４０の相対的高さが示されている。ダム４０には、第１の凹部表面２３より上の高さｄ３にある上面５０が含まれる。一実施形態において、ｄ３は、１０μｍ〜２０μｍである。ダムの側壁は、第２の高さｄ１から上面５０へ延びる。いくつかの実施形態において、上面５０は比較的平坦であり、一方で他の実施形態において、上面の高さｄ３は、ダム４０の幅、ダム４０の長さ、または両方に沿って変化してもよい。図５に示す実施形態において、ダム４０の第１の細長い側部４４は、横方向に延びるチャネル２３の前面３８より前縁３９へより接近して、第２の高さにおける第２の表面３２'のストリップが、第１の細長い側部４４と横方向に延びるチャネル２３の前面３８との間に延びるようにする。一実施形態において、ダム４０の第１の細長い側部４４と、横方向に延びるチャネル２３の前面３８との間の距離は、約０μｍ（それらが一列に整列された場合）〜約２００μｍである。他の実施形態において、図４に示すように、ダム４０の第１の細長い側部４４、および横方向に延びるチャネル２３の前面３８は、互いに一列に整列される。図は、ダム４０の側部４２、４４、４６および４８を、上面５０に対して直角に示しているが、他の実施形態において、側部は、傾斜するか、または曲線であってもよい。
【００２８】
上記は、本発明の実施形態に関するが、本発明の他の、およびさらなる実施形態が、本発明の基本的な範囲から逸脱せずに考案可能であり、それらの範囲は、添付の特許請求の範囲によって決定される。
【符号の説明】
【００２９】
１０  磁気ハードディスクドライブ
１２  ハウジング
１４  磁気ディスク
１６  アクチュエータ
１７  ボイスコイルモータ
１８  ヘッドスライダ
１８'  ヘッドスライダ
１９  ランプ
２１  空気ベアリング面（ＡＢＳ）
２２  前パッド
２３  横方向に延びるチャネル
２４  後パッド
２６  後縁
２８  潤滑油
２８'  潤滑油
２８''  潤滑油
３１  横方向に延びる部分
３２  第２の表面
３３  縦方向に延びる部分
３４  表面
３５  側縁
３６  側部パッド
３７  側縁、ヘッドスライダの他側
３８  前面
３９  前縁
４０  横方向に延びるダム
４２  第２の細長い側部
４４  第１の細長い側部
４６  側部
４８  側部
５０  上面
【図１】
2011170954.tif 000003
【図２】
2011170954.tif 000004
【図３】
2011170954.tif 000005
【図４】
2011170954.tif 000006
【図５】
2011170954.tif 000007